(57)【特許請求の範囲】
【請求項１】
虫を誘引する誘引手段と、
帯状をなす基材シートの一方の面に接着剤層が積層された捕虫シートを前記誘引手段の近傍に繰り出し可能に支持する支持手段と、
前記捕虫シートを巻き取る巻取手段とを備えた捕虫器において、
前記捕虫シートの巻き取りから設定時間経過後に当該捕虫シートの巻き取りを促す巻取時期通知手段を有し、
前記支持手段と巻取手段との少なくとも一方は、前記巻取時期通知手段における案内が表示された場合のみに前記捕虫シートの繰り出しが許容されることを特徴とする捕虫器。
【発明の詳細な説明】
【技術分野】
【０００１】
本発明は、捕虫器に係り、更に詳しくは、虫を捕獲した捕虫シートを巻き取って未使用の捕虫シートを繰り出すことができる捕虫器に関する。
【背景技術】
【０００２】
従来より、例えば、食品や粘着シート、精密機械等の製品に虫が混入することを防止するために捕虫器が利用され、かかる捕虫器としては、例えば、特許文献１に開示されている。
特許文献１の捕虫器は、捕虫用の光源と、虫を接着して捕獲可能な捕虫シートと、ロール状に巻回された捕虫シートを光源の近傍に繰り出し可能に支持する支持手段と、捕虫シートを巻取軸に巻き取る巻取手段とを備えている。巻取手段は、巻取軸を回転駆動させる駆動装置を備え、一定時間（日数）毎に、駆動装置を駆動させることにより、虫を捕獲した捕虫シートを巻取軸に巻き取り、捕虫シートの未使用面を光源の近傍に繰り出し可能となっている。
【先行技術文献】
【特許文献】
【０００３】
【特許文献１】特開２００３−１６９５８４号公報
【発明の概要】
【発明が解決しようとする課題】
【０００４】
しかしながら、特許文献１の捕虫器の場合、ごく少数の虫しか捕獲しておらず、捕虫シートに更なる虫の捕獲能力が残っていても、捕虫シートが巻き取られてしまう場合がある。一方、多数の虫を捕獲したために、捕虫シートに更なる虫の捕獲能力が残っていなかったり、捕虫シートの接着剤が劣化したりして捕獲能力が低下していても、所定時間が経過するまで捕虫シートは巻き取られない場合もある。このように一定時間経過毎に捕虫シートを自動的に巻き取ると、無駄に捕虫シートを消費する、或いは、虫を捕獲し得る状態を常時良好に維持できなくなる、という不都合を招来する。
【０００５】
［発明の目的］
本発明の目的は、捕虫シートを効率良く使用することができる捕虫器を提供することにある。
【課題を解決するための手段】
【０００６】
前記目的を達成するため、本発明は、虫を誘引する誘引手段と、
帯状をなす基材シートの一方の面に接着剤層が積層された捕虫シートを前記誘引手段の近傍に繰り出し可能に支持する支持手段と、
前記捕虫シートを巻き取る巻取手段とを備えた捕虫器において、
前記捕虫シートの巻き取りから設定時間経過後に当該捕虫シートの巻き取りを促す巻取時期通知手段を有し、
前記支持手段と巻取手段との少なくとも一方は、前記巻取時期通知手段における案内が表示された場合のみに前記捕虫シートの繰り出しが許容される、という構成を採っている。
【発明の効果】
【０００８】
本発明によれば、巻取時期通知手段を有するので、捕虫シートが巻き取られてから所定の時間が経過すると、その案内を表示することができる。これにより、作業者に捕虫シートの巻き取り時期が来たことを促し、捕虫シートに接着した虫の量や捕虫シートの劣化具合等を作業者が目視にて確認してから、捕虫シートの巻き取りを行うことができる。これにより、捕虫シートの捕獲能力を確認してから当該捕虫シートの巻き取りを行うことができ、捕虫シートが無駄に消費されることを抑制しつつ、虫を捕獲し得る状態を常時良好に維持することが可能となり、捕虫シートをより効率良く使用することができる。
【０００９】
また、巻取時期通知手段における案内が表示された場合に捕虫シートの繰り出しが許容される構成としたことで、例えば、捕虫シートが巻き取られた直後に、作業者の誤操作により捕虫シートが更に巻き取られてしまうことを回避でき、これによっても、捕虫シートが無駄に消費されることを防止することができる。
【図面の簡単な説明】
【００１０】
【図１】実施形態に係る捕虫器の概略正面図。
【図２】図１の左側面図。
【図３】本体部の内部構造の説明図。
【図４】（Ａ）は、捕虫シートの正面図。（Ｂ）は、（Ａ）のＡ矢視断面図。
【発明を実施するための形態】
【００１１】
以下、本発明の実施の形態について図面を参照しながら説明する。
なお、本明細書において、特に明示しない限り、「上」、「下」は、図１を基準として用いる。
【００１２】
図１〜図４において、捕虫器１０は、図１中横長に設けられた本体部１１と、この本体部１１を昇降可能に支持する昇降手段１２と、捕虫器１０の全体的な動作を制御する制御手段１３と、制御手段１３を遠隔操作する操作手段１４とを備えて構成されている。
【００１３】
前記本体部１１は、箱状に形成されたフレーム体Ｆと、このフレーム体Ｆの内部に設けられて虫を誘引する誘引手段１５と、この誘引手段１５の近傍に繰り出される帯状の捕虫シート１６と、この捕虫シート１６を誘引手段１５の近傍に繰り出し可能に支持する支持手段１８と、捕虫シート１６を巻き取る（捕虫シート１６を巻き取るとともに、捕虫シート１６の未使用面を誘引手段１５の近傍に繰り出す）巻取手段１９と、フレーム体Ｆに設けられた巻取時期通知手段２０とを備えて構成されている。
【００１４】
前記フレーム体Ｆは、開口ＦＡを有する一対の側面部ＦＢと、各側面部ＦＢの上端側に連設される頂面部ＦＣと、各側面部ＦＢの下端側に連設される底面部ＦＤとを備えている。頂面部ＦＣの内面には、誘引手段１５側に膨出するＶ字状の反射板２３が設けられている。反射板２３は、本実施形態では、ステンレス板等によって形成され、誘引手段１５側が鏡面仕上げとされる。
【００１５】
前記誘引手段１５は、底面部ＦＤに支持された蛍光灯により構成されている。この蛍光灯は、制御手段１３によって点灯、消灯、供給電力量等が制御される。なお、蛍光灯は、虫を誘引可能な波長の光、例えば紫外線を発光するものが好ましい。
【００１６】
前記捕虫シート１６は、図４（Ａ）及び（Ｂ）に示されるように、帯状をなす基材シート１６Ａと、この基材シート１６Ａの一方の面（図４（Ｂ）中上面）に積層された接着剤層１６Ｂとからなる２層構造になっており、この接着剤層１６Ｂ側に剥離シート１６Ｃが仮着されている。基材シート１６Ａの短手方向両端、すなわち、図４中左右両端に沿う位置には、接着剤層１６Ｂを積層しない非接着領域１６Ｄがそれぞれ設けられている。
【００１７】
前記支持手段１８は、剥離シート１６Ｃが仮着されロール状に巻回された捕虫シート１６を支持する支持軸２７と、この支持軸２７の下方に設けられて捕虫シート１６及び剥離シート１６Ｃが載置される受けディスク２８と、支持軸２７の近傍に設けられた剥離手段３２とを備え、支持軸２７が図３中矢印Ｒ３方向に回転することで捕虫シート１６を繰り出すことが可能になっている。なお、支持軸２７は、図示しない回転規制手段によって図３中矢印Ｒ３の反対方向への回転が規制されている。
【００１８】
前記剥離手段３２は、支持軸２７から繰り出された捕虫シート１６を図３中右方向に導くガイドローラ３３と、剥離シート１６Ｃを同図中左方向へ導く剥離用ローラ３４とを備えている。剥離用ローラ３４により剥離された剥離シート１６Ｃは、ガイドローラ３５を経由して巻取手段１９へ案内される。また、剥離シート１６Ｃが剥離された捕虫シート１６は、開口ＦＡからフレーム体Ｆの外方に接着剤層１６Ｂを表出しつつ誘引手段１５の図３中下方へ案内される。
【００１９】
前記巻取手段１９は、捕虫シート１６及び剥離シート１６Ｃの両方が巻回される単一の巻取軸３７と、この巻取軸３７の下方に設けられて捕虫シート１６及び剥離シート１６Ｃが載置される受けディスク３８と、巻取軸３７の下端側に連結されて当該巻取軸３７を図３中矢印Ｒ２方向に回転させて捕虫シート１６及び剥離シート１６Ｃの両方を巻き取るモータ４３とを備えている。モータ４３は、制御手段１３によって捕虫シート１６の巻取量、巻取速度、支持軸２７との間に繰り出される捕虫シート１６の張力等が制御可能とされる。
【００２０】
前記巻取時期通知手段２０は、図２中右側の側面部ＦＢの外側において点灯可能な点灯部５８を備え、この点灯部５８を点灯或いは点滅することで、点灯部５８の右向き三角形部分を目立たせて作業者に捕虫シート１６の巻取時期となったことを促す案内を表示可能となっている。
【００２１】
前記昇降手段１２は、壁面Ｗに取り付けられる一対のブラケット６０と、これらブラケット６０に対して回転可能に支持されたシャフト６１と、このシャフト６１を回転可能に設けられたモータ６２と、シャフト６１に連結された一対のリール６４と、各リール６４にそれぞれ巻回されるとともに、本体部１１を吊持可能なワイヤ６５とを備えている。モータ６２は、制御手段１３によってワイヤ６５の繰出及び巻取量、繰出及び巻取速度等が制御可能とされる。
【００２２】
前記制御手段１３は、前述した誘引手段１５、巻取時期通知手段２０、モータ４３及びモータ６２を所定制御可能に設けられている。なお、制御手段１３は内部タイマを備え、巻取手段１９による捕虫シート１６の巻き取り後、予め設定した時間を経過すると、点灯部５８を点灯或いは点滅させる機能を備えている。
更に、制御手段１３は、内部タイマによって予め設定した時間を経過したことが確認されたときに、モータ４３に捕虫シートの巻き取りを許容する機能を備え、予め設定した時間を経過するまでは、モータ４３の駆動を規制し、作業者の誤作動で操作手段１４を介して動作指令が入力されても、捕虫シート１６を巻き取ることができないようになっており、捕虫シート１６が無駄に消費されることを抑制できるようになっている。
【００２３】
前記操作手段１４は、制御手段１３に制御指令を出力する受信手段４７と当該受信手段４７に出力指令を入力する送信手段４６とを備え、送信手段４６は、赤外線等によって受信手段４７に信号を入力することで、制御手段１３を遠隔操作可能に設けられている。送信手段４６は、第１〜第４のボタン４９〜５２を備えたリモートコントローラにより構成されている。第１ボタン４９を押圧すると、制御手段１３は、誘引手段１５を構成する蛍光灯等が消灯していることを条件として当該蛍光灯を点灯させ、蛍光灯等が点灯していることを条件として当該蛍光灯を消灯する。第２ボタン５０を押圧すると、制御手段１３は、モータ６２を回転させて本体部１１を上昇させ、第３ボタン５１を押圧すると、制御手段１３は、モータ６２を回転させて本体部１１を下降させる。第４ボタン５２を押圧すると、制御手段１３は、モータ４３を回転させて捕虫シート１６を所定長さ巻き取る。
【００２４】
前記捕虫器１０を使用するときは、先ず、捕虫シート１６を支持軸２７から所定長さ引き出し、ガイドローラ３３の位置で剥離シート１６Ｃを剥離して誘引手段１５の図３中下側近傍を通過し、同図中下側の開口ＦＡからフレーム体Ｆの外方に接着剤層１６Ｂが露出するように繰り出す。その後、捕虫シート１６を一対のローラ２５を介して同図中上方に案内した後、誘引手段１５の同図中上側を通過し、同図中上側の開口ＦＡからフレーム体Ｆの外方に接着剤層１６Ｂが露出するように導き、リード端を巻取軸３７に固定する。
そして、捕虫器１０に電源が供給されると、制御手段１３がモータ４３を駆動して、捕虫シート１６を所定長さ巻き取る動作を行う。この巻取動作が完了すると制御手段１３が内部タイマによって時間のカウントを開始する。第１ボタン４９を押圧して誘引手段１５を発光させると、その光は、捕虫シート１６を透過して外部に発せられる。誘引手段１５が発光した光に誘引されて飛来した虫は、捕虫シート１６の接着剤層１６Ｂに接着して捕獲される。
【００２５】
その後、制御手段１３の内部タイマによって予め設定した時間が経過したことが確認されると、巻取時期通知手段２０の点灯部５８が点灯或いは点滅して捕虫シート１６の巻き取り時期になったことを案内表示するよう制御される。これにより、モータ４３の駆動が許容され、捕虫シート１６に捕獲された虫の量や接着剤層１６Ａの劣化状態等を作業者が目視にて確認を行う。このとき、適度な虫が捕獲され、捕虫シート１６に更なる虫の捕獲能力が残っていないと作業者が判断した場合は、第４ボタン５２を押圧して捕虫シート１６の巻き取りが行われる。その後上記同様の動作が繰り返し行われることとなる。
【００２６】
ここで、作業者が目視にて捕虫シート１６の確認を行ったときに、ごく少数の虫しか捕獲しておらず、捕虫シート１６に更なる虫の捕獲能力が残っていると作業者が判断した場合は、捕虫シート１６の巻き取りを行うことなく、現在使用している捕虫シート１６の面をその後も使用し続けることができ、捕虫シート１６を無駄に消費することを防止することができる。
一方、作業者が目視にて捕虫シート１６の確認を行ったときに、多数の虫を捕獲したため捕虫シート１６に更なる虫の捕獲能力が残っていなかった場合や、捕虫シート１６の接着剤が劣化したりして捕獲能力が低下していた場合、捕虫シート１６の巻き取りを行うとともに、予め制御手段１３の内部タイマに設定する時間を短くすることができる。これにより、虫を捕獲し得る状態を常時良好に維持することができる。
【００２７】
従って、このような実施形態によれば、捕虫シート１６を目視した作業者の判断するタイミングで、捕虫シート１６の巻き取りを行うことができる。これにより、ごく少数の虫しか捕獲していないのに捕虫シート１６を巻き取ったり、多数の虫を捕獲したことにより捕虫シート１６での捕虫が困難な状態を長引かせたりすることを回避でき、捕虫シート１６の有効的な利用と、効率的な捕虫と、を同時に達成することが可能となる。
【００２８】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、誘引手段１５は、虫を誘引する作用を奏する限りにおいて種々の変更が可能であり、匂いや音等で誘引可能なものであってもよく、蛍光灯に代替、若しくは、蛍光灯と併用することができる。また、前記蛍光灯に替え、環状の蛍光灯や電球、ＬＥＤ（発光ダイオード）等の他の発光源によって誘引手段１５を構成してもよい。
【００３０】
更に、巻取軸３７を２本設け、使用済みの基材シート１６Ａと、剥離シート１６Ｃとを別々の巻取軸３７で巻き取りしてもよい。
また、巻取時期通知手段２０は、回転灯やブザーとうに代替えすることもできるし、それらを併設して使用することもできる。
【符号の説明】
【００３１】
１０  捕虫器
１５  誘引手段
１６  捕虫シート
１６Ａ  基材シート
１６Ｂ  接着剤層
１８  支持手段
１９  巻取手段
２０  巻取時期通知手段 
【図１】
0005586084.tif 000002
【図２】
0005586084.tif 000003
【図３】
0005586084.tif 000004
【図４】
0005586084.tif 000005